Podtech/llm-jp-corpus-v4-ja_patent huggingface dataset:
【手続補正書】
【提出日】平成24年6月27日(2012.6.27)
【手続補正１】
【補正対象書類名】特許請求の範囲
【補正対象項目名】全文
【補正方法】変更
【補正の内容】
【特許請求の範囲】
【請求項１】
開放状態と閉鎖状態とに変化する可変入賞装置と、始動領域を遊技媒体が通過した後、可変表示の開始を許容する開始条件が成立したことにもとづいて各々を識別可能な複数種類の識別情報の可変表示を開始し、表示結果を導出表示する可変表示部とを備え、該可変表示部に特定表示結果が導出表示されたときに前記可変入賞装置が前記開放状態に制御されるラウンドを所定回数実行する特定遊技状態に制御するとともに、通常遊技状態であるときに比べて識別情報の可変表示の表示結果が前記特定表示結果となる確率が向上した高確率状態に制御可能な遊技機であって、
制御を行う際に発生する変動データとして、少なくとも前記高確率状態に制御されていることを示す高確率状態中情報を含むデータを記憶する変動データ記憶手段と、
遊技機への電力供給が停止していても前記変動データ記憶手段の記憶内容を所定期間保持させることが可能な記憶内容保持手段と、
前記特定遊技状態とするか否かと、該特定遊技状態として、前記可変入賞装置を遊技者にとって有利な開放パターンで前記開放状態に制御するラウンドを前記所定回数実行する第１特定遊技状態、または前記可変入賞装置を遊技者にとって不利な開放パターンで前記開放状態に制御するラウンドを前記所定回数実行する第２特定遊技状態を含む複数種類の前記特定遊技状態のいずれとするかとを、表示結果の導出表示以前に決定する事前決定手段と、
電力供給が開始されたときに、前記変動データ記憶手段に前記高確率状態中情報が記憶されていることにもとづいて、前記高確率状態に制御されていることを示す高確率状態中信号を、遊技機の外部に出力する高確率状態中信号外部出力手段と、
前記高確率状態であるか否かを認識困難な共通演出を実行する共通演出実行手段と、を備え、
前記高確率状態中信号外部出力手段は、電力供給が開始されてから所定条件が成立するまで前記高確率状態中信号の出力を継続し、前記所定条件が成立すると前記高確率状態中信号の出力を禁止し、
前記共通演出実行手段は、前記事前決定手段によって前記第２特定遊技状態とすると決定されたことにもとづいて、前記共通演出を実行可能である
ことを特徴とする遊技機。
【手続補正書】
【提出日】平成23年11月25日(2011.11.25)
【手続補正１】
【補正対象書類名】明細書
【補正対象項目名】０００３
【補正方法】変更
【補正の内容】
【０００３】
また、従来の一般的な粒餡の製造方法は、生餡と同様に２回の煮熟工程と渋切工程を行った後、煮た小豆（煮豆）に水道水を加えてさらに煮熟し（第３煮熟工程）、次いで煮豆と煮熟液とに分け（第１分離工程）、煮熟液に砂糖などを加えて煮詰め（第１煮詰工程）、煮詰めた煮熟液に分けておいた煮豆を戻して一晩蜜漬けし（蜜漬工程）、再び煮豆を取り出して（第２分離工程）、蜜漬けに用いた煮熟液を煮詰めた（第２煮詰工程）後、取り出しておいた小豆を煮詰めた煮熟液に戻した（煮豆投入工程）うえ、再度煮詰めて（第３煮詰工程）粒餡とする、というものである。
【手続補正２】
【補正対象書類名】明細書
【補正対象項目名】００３２
【補正方法】変更
【補正の内容】
【００３２】
実施例１（粒餡の製造方法）
２０ｋｇの水道水で水洗した小豆１５ｋｇに水道水３０ｋｇを加え、沸騰状態で３０分間煮熟を行った（煮熟工程）後、渋切を行う（渋切工程）作業を２回繰り返し、煮豆３１ｋｇに蒸留液Ａ２０ｋｇを加え加熱を行った（第３煮熟工程）後、煮熟液から煮豆を除き（分離工程）、この煮熟液に砂糖３０ｋｇを溶解した６０Ｂｒｉｘの糖液に該煮豆を戻し、一晩蜜漬けを行った（蜜漬工程）後、加熱を行い（煮詰工程）、７０Ｂｒｉｘの粒餡６５ｋｇを得た。
【手続補正３】
【補正対象書類名】明細書
【補正対象項目名】００３３
【補正方法】変更
【補正の内容】
【００３３】
実施例２（粒餡の製造方法）
２０ｋｇの水道水で水洗した小豆１５ｋｇに蒸留液Ａ３０ｋｇを加え、沸騰状態で３０分間煮熟を行い、さらに火を弱めて４５分間煮熟を続け、加熱を止めそのまま３０分間蒸らし煮豆を得た（煮熟工程）。その後渋切工程を行わずに、煮熟液から煮豆を除き（分離工程）、この煮熟液に砂糖３０ｋｇを溶解した６０Ｂｒｉｘの糖液に該煮豆を戻し、一晩蜜漬けを行った（蜜漬工程）後、加熱を行い（煮詰工程）、７０Ｂｒｉｘの粒餡６５ｋｇを得た。
【手続補正４】
【補正対象書類名】明細書
【補正対象項目名】００３４
【補正方法】変更
【補正の内容】
【００３４】
比較例1（粒餡の製造方法）
２０ｋｇの水道水で水洗した小豆１５ｋｇに水道水３０ｋｇを加え、沸騰状態で３０分間煮熟を行った（煮熟工程）後、渋切を行う（渋切工程）作業を２回繰り返し、煮豆３１ｋｇに水道水２０ｋｇを加え加熱を行った（第３煮熟工程）後、煮熟液から煮豆を除き（分離工程）、煮熟液に砂糖３０ｋｇを加え６０Ｂｒｉｘの糖液とした中に分離した煮豆を戻し、以後実施例１，２と同様に蜜漬工程、煮詰工程を行い、７０Ｂｒｉｘの粒餡６５ｋｇを得た。
【手続補正書】
【提出日】平成24年8月1日(2012.8.1)
【手続補正１】
【補正対象書類名】特許請求の範囲
【補正対象項目名】全文
【補正方法】変更
【補正の内容】
【特許請求の範囲】
【請求項１】
試薬を用いてサンプル核酸を増幅させて、蛍光強度または濁度を検出する核酸検査装置において、
試薬およびサンプル核酸を反応容器に分注する分注チップと、反応容器に蓋をする閉栓機構と、閉栓後に反応容器内の試薬およびサンプルを攪拌する攪拌機構と、反応容器がサンプル核酸の増幅に必要な温度になるように制御する温調部と、酵素を失活させる加熱部と、分注チップ廃棄部を備えていることを特徴とする、核酸検査装置。
【請求項２】
請求項１において、
上記加熱部は、上記分注チップに押し当てるように駆動することを特徴とする、核酸検査装置。
【請求項３】
請求項１において、
上記分注チップは、上記加熱部に押し当てるように駆動することを特徴とする、核酸検査装置。
【請求項４】
請求項１において、
上記加熱部は、開口部を備えており、この開口部の開口は開閉自在であることを特徴とする、核酸検査装置。
【請求項５】
請求項１において、
上記加熱部は複数の部材から成り、これらの部材は分注チップを挟み込むように動作することを特徴とする、核酸検査装置。
【請求項６】
請求項５において、
ステッピングモータと上記ステッピングモータの回転により直線運動するボールネジを備え、このボールネジの運動により加熱部の各部材が上記分注チップを挟み込むように動作させることを特徴とする、核酸検査装置。
【請求項７】
請求項１において、
上記加熱部の下方に上記分注チップ廃棄部を備えることを特徴とする、核酸検査装置。
【請求項８】
請求項１において、
上記加熱部に隣接させて上記分注チップ廃棄部を備えることを特徴とする、核酸検査装置。
【請求項９】
請求項１において、
先端に上記分注チップを脱着可能なシリンジユニットを備えていることを特徴とする、核酸検査装置。
【請求項１０】
請求項４において、
分注チップの垂直方向の移動に連動して上記開口の大きさが変化することを特徴とする、核酸検査装置。
【請求項１１】
試薬を用いてサンプル核酸を増幅させて、蛍光強度または濁度を検出する核酸検査装置において、
分注チップを用いて試薬およびサンプル核酸を反応容器に分注した後に、酵素を失活させることを特徴とする、核酸検査装置。
【請求項１２】
試薬を用いてサンプル核酸を増幅させて、蛍光強度または濁度を検出する核酸検査装置において、
分注チップを用いて試薬およびサンプル核酸を反応容器に分注した後に、分注チップの先端を潰すことを特徴とする、核酸検査装置。
【請求項１３】
試薬を用いてサンプル核酸を増幅させて、蛍光強度または濁度を検出する核酸検査装置において、
分注チップを用いて試薬およびサンプル核酸を反応容器に分注した後に、酵素を失活させながら上記分注チップの先端を潰すことを特徴とする、核酸検査装置。
【手続補正書】
【提出日】平成24年5月28日(2012.5.28)
【手続補正１】
【補正対象書類名】特許請求の範囲
【補正対象項目名】全文
【補正方法】変更
【補正の内容】
【特許請求の範囲】
【請求項１】
太陽電池パネルの出力を制御する電力変換器及びその制御器で構成され，電力変換器の発電出力の有効電力Ｐと無効電力Ｑの比を表す制御パラメータαを調整して電圧変動を抑制する機能を有する複数の太陽光発電装置が構内配線に接続されており、前記構内配線は変圧器を介して電力系統との連系点に接続されており、前記連系点を介して電力系統と連系してなる太陽光発電システムにおいて，
前記制御器は、前記連系点の電圧Vｓの変動成分を求める電圧変動検出手段と、前記有効電力Pの変動成分を求める有効電力変動検出手段と、求められた前記有効電力Pの変動成分を所定の不感帯を設けて増減方向を表す符合信号に変換する符合変換手段と、前記電圧Vｓの変動成分と符合信号に変換された前記有効電力の変動成分との積に基づいて前記制御パラメータαを求める制御パラメータ算出手段と、を含む電力補償量演算部を有する太陽光発電システム。
【請求項２】
請求項１に記載の太陽光発電システムにおいて，
前記有効電力Pは、前記構内配線から前記連携点に流れる複数の太陽光発電装置の合成出力電流から求めることを特徴とする太陽光発電システム。
【請求項３】
請求項１に記載の太陽光発電システムにおいて，
前記電力補償量演算部に，太陽光発電システムの合成出力電流の検出値Ｉと前記電力変換器の出力電圧の検出値Ｖｉを用いて電力系統との連系点電圧Ｖｓを推定する手段を設けたことを特徴とする太陽光発電システム。
【請求項４】
太陽電池パネルの出力を制御する電力変換器及びその制御器で構成され，電力変換器の発電出力の有効電力Ｐと無効電力Ｑの比を表す制御パラメータαを調整して電圧変動を抑制する機能を有する複数の太陽光発電装置が構内配線に接続されており、前記構内配線は変圧器を介して電力系統との連系点に接続されており、前記連系点を介して電力系統と連系してなる太陽光発電システムにおいて，
前記制御器は、連系点の電圧Vｓの変動成分と、前記有効電力Pの変動成分と、の積に基づいて前記制御パラメータαを求める電力補償量演算部を有し，当該電力補償量演算部は、前記制御有効電力Pの変動成分が閾値以下となる状態が所定時間以上継続した場合に、有効電力Pの変動成分に基づく当該太陽光発電装置の変動指令ΔPiを前記電力変換器に伝送する手段を設けることを特徴とする太陽光発電システム。
【請求項５】
請求項４に記載の太陽光発電システムにおいて，
前記電力補償量演算部は、前記有効電力ＰPの変動成分が閾値以下となる状態が所定時間以上継続した後、前記有効電力ＰPの変動成分と前記連系点の電圧Vｓの変動成分の積に基づいて算出した制御パラメータαの変化量が閾値以下となった場合に変動指令ΔPiを停止する手段を設けることを特徴とする太陽光発電システム。
【請求項６】
請求項４に記載の太陽光発電システムにおいて，
前記有効電力Ｐは、前記構内配線から前記連携点に流れる複数の太陽光発電装置の合成出力電流から求めることを特徴とする太陽光発電システム。
【請求項７】
請求項４に記載の太陽光発電システムにおいて，
前記電力補償量演算部に，太陽光発電システムの合成出力電流の検出値Ｉと前記電力変換器の出力電圧の検出値Ｖｉを用いて電力系統との連系点電圧Ｖｓを推定する手段を設けたことを特徴とする太陽光発電システム。
【手続補正書】
【提出日】平成24年7月26日(2012.7.26)
【手続補正１】
【補正対象書類名】特許請求の範囲
【補正対象項目名】全文
【補正方法】変更
【補正の内容】
【特許請求の範囲】
【請求項１】
処理装置の上部から処理物を投入し、該処理物の中央下部を加温し上昇気流を生起し、処理装置の内側壁部に下降気流を生起して磁化空気を上下対流させて、０．２５テスラ〜１．０テスラの磁場を通過した磁化空気を処理物内に導き、前記処理物をその下部から順次分解処理することにより、前記処理物を炭化し、次いで灰化させると共に、前記処理装置の一側上部の排気管からの排気に伴って、前記処理装置の下部内側に磁化空気を流入させ、前記処理物の処理の進行に伴い、前記処理物はその上部の未分解部分の自重が加えられて順次下降してその空洞化が防止され、前記処理物の減少に伴い、新しい処理物を間欠投入することにより、処理物を自動連続分解処理することを特徴とした処理物の低温分解処理方法。
【請求項２】
処理装置の内壁に熱交換器を設置して、内部気体と水とを熱交換させ、温水を生成することを特徴とした請求項１記載の処理物の低温分解処理方法。
【請求項３】
処理装置の上部内側に処理物の投入ホッパーを設け、該投入ホッパーの下部に仕切板を設け、上部に開閉蓋を設けて、前記仕切板と開閉蓋を交互に開閉させて処理物を投入させることを特徴とした請求項１記載の処理物の低温分解処理方法。
【請求項４】
有底筒状の処理装置の下部に、加熱室を設け、該加熱室の上部に処理物を収容し、磁化空気を給気して、処理する２重壁の処理室を連設し、前記加熱室と処理室の下部に、磁化空気の給気管を側壁から中央部に向けて上下多段に複数水平方向に設置し、前記給気管は、流入空気を磁化する磁化筒に連設し、前記処理室の上部に処理物の投入口を設けると共に、排気管を連設し、前記投入口へ開閉蓋を被冠し、前記排気管に処理槽を連結し、該処理槽内に撒水管と撒水の循環装置を設けて前記処理室内の上下対流の為に２重壁の上下部へ通気口を設け、前記加熱室の側壁下部に、開閉蓋付残渣取り出し口を設けたことを特徴とする処理物の低温分解処理装置。
【請求項５】
有底筒状の処理装置の下部に、加熱室を設け、該加熱室の上部に処理物を収容し、磁化空気を給気して、処理する２重壁の処理室を連設し、前記加熱室と処理室の下部に、磁化空気の給気管を側壁から中央部に向けて上下多段に複数水平方向に設置し、前記給気管は、流入空気を磁化する磁化筒に連設し、前記処理室の上部に処理物の投入口を設けると共に、排気管を連設し、前記投入口へ開閉蓋を被冠し、前記排気管に処理槽を連結し、前記処理室内の上下対流の為に２重壁の上下部へ通気口を設け、前記処理室の内側壁へ熱交換器を設置したことを特徴とする処理物の低温分解処理装置。
【請求項６】
磁化筒内には、一端に磁化空気の給気管を連結し、他端を外界に開口し、中央部に高磁化用の永久磁石を介装した通気管を内装したことを特徴とする請求項９又は１０記載の処理物の低温分解処理装置。
【手続補正書】
【提出日】平成24年3月6日(2012.3.6)
【手続補正１】
【補正対象書類名】特許請求の範囲
【補正対象項目名】全文
【補正方法】変更
【補正の内容】
【特許請求の範囲】
【請求項１】
下記一般式（１）
【化１】
2010155963.tif 000001
（式中、Ｒは置換基を有していてもよい炭素数８〜１８の炭化水素基を示す。）、
又は下記一般式（２）
【化２】
2010155963.tif 000002
（式中、Ｘは置換基を有していてもよい炭素数８〜１８の炭化水素基を示す。）
で表される、１若しくは２のグアニジル基と炭素数８〜１８の炭化水素基とを有する化合物又はその塩、である化合物Ａを含有するバイオフィルム除去剤組成物。
【請求項２】
更に、１種以上の界面活性剤を含有する請求項１記載のバイオフィルム除去剤組成物。
【請求項３】
界面活性剤が、非イオン界面活性剤及び両性界面活性剤から選ばれる１種以上である、請求項２記載のバイオフィルム除去剤組成物。
【請求項４】
化合物Ａの含有量が、０．００５〜５重量％である請求項１〜３の何れか１項記載のバイオフィルム除去剤組成物。
【請求項５】
請求項１〜４いずれか１項に記載のバイオフィルム除去剤組成物をバイオフィルムに接触させる、バイオフィルムの除去方法。
【手続補正書】
【提出日】平成24年9月26日(2012.9.26)
【手続補正１】
【補正対象書類名】特許請求の範囲
【補正対象項目名】全文
【補正方法】変更
【補正の内容】
【特許請求の範囲】
【請求項１】
研磨媒体の存在下で磁性基材、光学基材および半導体基材の少なくとも一つを研磨パッドで研磨するための方法であって、基材がキャリヤ固定具に固定され、キャリヤ固定具が流路のない表面を有し、方法が、
ａ）研磨パッドの研磨面に隣接し平行な流路のない表面を持つキャリヤ固定具に基材を固定する工程であって、研磨パッドが多数の溝を有し、多数の溝が高速経路を有し、高速経路の少なくとも５０パーセントが研磨パッドの同心円中心を基点とする極座標中の溝軌跡φ（ｒ）の２０パーセント以内にあり、（１）研磨パッドの同心円中心と被研磨基材の回転中心との間の距離Ｒ、（２）キャリヤ固定具の半径Ｒｃおよび（３）キャリヤ固定具の仮想溝の局所角度θｃ０に関して以下のとおり画定される、工程と、
【数４】
2010155338.tif 000001
ｂ）キャリヤ固定具に隣接する研磨パッドに研磨媒体を適用する工程と、
ｃ）研磨パッドおよびキャリヤ固定具を回転させて研磨パッドおよび研磨媒体で基材を研磨する工程であって、キャリヤ固定具の流路のない表面が研磨パッドに押し当てられて基材への研磨媒体の流動を妨げ、高速溝経路がキャリヤ固定具を横断して基材への研磨媒体の流動を促進する、工程とを含む方法。
【請求項２】
研磨パッドが中心を有し、中心から互い違いにずらされた半径で開始する多数の溝によって研磨が生じる、請求項１記載の方法。
【請求項３】
φｃ（ｒ）が負である場合に反時計方向に、またはφｃ（ｒ）が正である場合に時計方向に回転する研磨パッドとともに回転が生じる、請求項１記載の方法。
【請求項４】
θｃ０が０〜９０度である溝軌跡の２０パーセント以内にある高速経路によって研磨が生じる、請求項１記載の方法。
【請求項５】
研磨媒体の存在下で磁性基材、光学基材および半導体基材の少なくとも一つを研磨パッドで研磨するための方法であって、基材がキャリヤ固定具に固定され、キャリヤ固定具が流路のない表面を有し、方法が、
ａ）研磨パッドの研磨面に隣接し平行な流路のない表面を持つキャリヤ固定具に基材を固定する工程であって、研磨パッドが多数の溝を有し、多数の溝が高速経路を有し、高速経路の少なくとも５０パーセントが研磨パッドの同心円中心を基点とする極座標中の溝軌跡φ（ｒ）の２０パーセント以内にあり、（１）研磨パッドの同心円中心と被研磨基材の回転中心との間の距離Ｒ、（２）キャリヤ固定具の半径Ｒｃおよび（３）キャリヤ固定具の仮想溝の局所角度θｃ０に関して以下のとおり画定される、工程と、
【数５】
2010155338.tif 000002
ｂ）キャリヤ固定具に隣接する研磨パッドに研磨媒体を適用する工程と、
ｃ）研磨パッドおよびキャリヤ固定具を同一の方向に回転させて研磨パッドおよび研磨媒体で基材を研磨する工程であって、キャリヤ固定具の流路のない表面が研磨パッドに押し当てられて基材への研磨媒体の流動を妨げ、高速溝経路がキャリヤ固定具を横断して基材への研磨媒体の流動を促進する、工程とを含む方法。
【請求項６】
研磨パッドが中心を有し、中心から互い違いにずらされた半径で開始する多数の溝によって研磨が生じる、請求項５記載の方法。
【請求項７】
φｃ（ｒ）が負である場合に反時計方向に、またはφｃ（ｒ）が正である場合に時計方向に回転する研磨パッドとともに回転が生じる、請求項５記載の方法。
【請求項８】
高速経路を有する多数の溝間の不均等な角離間によって研磨が生じる、請求項５記載の方法。
【請求項９】
θｃ０が３０〜６０度である溝軌跡の２０パーセント以内にある高速経路によって研磨が生じる、請求項５記載の方法。 
【請求項１０】
θｃ０が４０〜５０度である溝軌跡の１０パーセント以内にある高速経路によって研磨が生じる、請求項５記載の方法。
【手続補正書】
【提出日】平成23年11月29日(2011.11.29)
【手続補正１】
【補正対象書類名】特許請求の範囲
【補正対象項目名】全文
【補正方法】変更
【補正の内容】
【特許請求の範囲】
【請求項１】
インクを吐出するための複数の吐出口が所定方向に沿って配列された第１の吐出口列の端部と、インクを吐出するための複数の吐出口が前記所定方向に沿って配列された第２の吐出口列の端部とが、前記所定方向と交差する走査方向に沿ってオーバーラップするように、前記第１の吐出口列と前記第２の吐出口列とが前記所定方向にずれて配列された記録ヘッドを、記録媒体に対して前記走査方向に走査させながらインクを吐出して画像を記録するインクジェット記録装置であって、
２つの前記端部の吐出口で構成されるオーバーラップ部が複数回走査される領域に対して、少なくとも１回の走査で、前記領域に対向するオーバーラップ部の吐出口のうち、前記第１の吐出口列のオーバーラップ部に相当する吐出口を用いずに、前記第２の吐出口列のオーバーラップ部に相当する吐出口を用いて画像を記録可能なように、前記記録ヘッドの使用可能吐出口を決定することを特徴とするインクジェット記録装置。
【請求項２】
前記領域に対して、前記オーバーラップ部の複数回の走査のうち、少なくとも１回の走査で、前記第１及び第２の吐出口列の両方を用いて画像を記録することを特徴とする請求項１に記載のインクジェット記録装置。
【請求項３】
前記領域に対して、前記オーバーラップ部の複数回の走査のうち、１回の走査のみで、前記第１及び第２の吐出口列の両方を用いて画像を記録することを特徴とする請求項１に記載のインクジェット記録装置。
【請求項４】
前記領域は、１ラスターの領域であることを特徴とする請求項１乃至３のいずれかに記載のインクジェット記録装置。
【請求項５】
インクを吐出するための複数の吐出口が所定方向に沿って配列された第１の吐出口列の端部と、インクを吐出するための複数の吐出口が前記所定方向に沿って配列された第２の吐出口列の端部とが、前記所定方向と交差する走査方向に沿ってオーバーラップしてなるつなぎ部を有する記録ヘッドを、記録媒体に対して前記走査方向に走査させながらインクを吐出して画像を記録するインクジェット記録装置であって、
前記つなぎ部の前記走査方向に対応する２つの吐出口の両方が使用される第１の組み合わせと、前記２つの吐出口の一方だけが使用される第２の組み合わせとが存在するように、前記つなぎ部の吐出口の一部を用いて記録を行うための記録走査を行うことにより、画像を記録する記録制御手段を有し、
前記記録制御手段は、前記記録媒体の同一ラスターに対して、１回の記録走査だけで前記第１の組み合わせが使用され且つ他の記録走査で前記第２の組み合わせが使用されるように、各記録走査の使用吐出口の位置を決めることを特徴とするインクジェット記録装置。
【手続補正２】
【補正対象書類名】明細書
【補正対象項目名】００１０
【補正方法】変更
【補正の内容】
【００１０】
本発明は、インクを吐出するための複数の吐出口が所定方向に沿って配列された第１の吐出口列の端部と、インクを吐出するための複数の吐出口が前記所定方向に沿って配列された第２の吐出口列の端部とが、前記所定方向と交差する走査方向に沿ってオーバーラップするように、前記第１の吐出口列と前記第２の吐出口列とが前記所定方向にずれて配列された記録ヘッドを、記録媒体に対して前記走査方向に走査させながらインクを吐出して画像を記録するインクジェット記録装置であって、２つの前記端部の吐出口で構成されるオーバーラップ部が複数回走査される領域に対して、少なくとも１回の走査で、前記領域に対向するオーバーラップ部の吐出口のうち、前記第１の吐出口列のオーバーラップ部に相当する吐出口を用いずに、前記第２の吐出口列のオーバーラップ部に相当する吐出口を用いて画像を記録可能なように、前記記録ヘッドの使用可能吐出口を決定することを特徴とする。
【手続補正書】
【提出日】平成24年10月2日(2012.10.2)
【手続補正１】
【補正対象書類名】特許請求の範囲
【補正対象項目名】全文
【補正方法】変更
【補正の内容】
【特許請求の範囲】
【請求項１】
液体を吐出するノズルと該ノズルへ供給される液体を貯留する液室を有する記録ヘッドと、該記録ヘッドへ供給される液体を貯留するタンクと、該タンクから前記液室へ液体を供給するための供給路と、該供給路の途中に設けられた供給ポンプと、前記液室から前記タンクへ液体を還流するための還流路と、該還流路の途中に設けられた還流ポンプと、を備える記録装置において、
前記供給ポンプ及び前記還流ポンプを制御する制御手段を備え、該制御手段は、前記液室に液体を初期充填する際に、前記還流ポンプを駆動して前記液室内を負圧状態にした後に前記供給ポンプを駆動することを特徴とする記録装置。
【請求項２】
前記制御手段は、前記供給ポンプの単位時間当たりの流量が前記還流ポンプの単位時間当たりの流量よりも大きくなるように制御することを特徴とする請求項１に記載の記録装置。
【請求項３】
前記供給路が前記液室に接続される供給口にフィルタを設け、前記タンクから前記供給ポンプを経由せずに前記供給路に接続される並行供給路を設け、前記制御手段は、前記供給ポンプの駆動を停止した後に前記還流ポンプを前記タンクから前記液室へ液体が流れる方向に駆動することを特徴とする請求項１または２に記載の記録装置。
【請求項４】
前記還流路の前記還流ポンプの上流側の圧力を検知する還流路センサを備え、前記制御手段は、前記還流ポンプを駆動して前記還流路センサが第１の閾値よりも低い圧力を検知した後に前記供給ポンプを駆動することを特徴とする請求項１ないし３のいずれか１項に記載の記録装置。
【請求項５】
前記供給路の前記供給ポンプの下流側の圧力を検知する供給路センサを備え、前記制御手段は、前記供給ポンプを駆動して前記供給路センサが第２の閾値よりも高い圧力を検知した後に前記供給ポンプを停止することを特徴とする請求項４に記載の記録装置。
か
【手続補正２】
【補正対象書類名】明細書
【補正対象項目名】００１２
【補正方法】変更
【補正の内容】
【００１２】
本発明は、上記目的を達成するため、液体を吐出するノズルと該ノズルへ供給される液体を貯留する液室を有する記録ヘッドと、該記録ヘッドへ供給される液体を貯留するタンクと、該タンクから前記液室へ液体を供給するための供給路と、該供給路の途中に設けられた供給ポンプと、前記液室から前記タンクへ液体を還流するための還流路と、該還流路の途中に設けられた還流ポンプと、を備える記録装置において、前記供給ポンプ及び前記還流ポンプを制御する制御手段を備え、該制御手段は、前記液室に液体を初期充填する際に、前記還流ポンプを駆動して前記液室内を負圧状態にした後に前記供給ポンプを駆動することを特徴とする。
【手続補正書】
【提出日】平成24年2月8日(2012.2.8)
【手続補正１】
【補正対象書類名】特許請求の範囲
【補正対象項目名】全文
【補正方法】変更
【補正の内容】
【特許請求の範囲】
【請求項１】
コンピュータを、
ゲーム空間を生成するゲーム空間制御部と、
プレイヤが操作手段を介して操作するプレイヤオブジェクトを含む複数の第１オブジェクトおよび前記複数の第１オブジェクトの攻撃対象となる第２オブジェクトを、前記ゲーム空間内で活動させ、攻撃行動を行う前記第１オブジェクトである攻撃オブジェクトから攻撃を受けたことによって所定方向への移動動作を前記第２オブジェクトに行わせるオブジェクト制御部と、
前記攻撃オブジェクトが前記第２オブジェクトを攻撃する際、この攻撃を受けて前記移動動作を行った後の前記第２のオブジェクトの位置が、この攻撃を行わなかった１以上の前記第１オブジェクトの少なくともいずれか一つである非攻撃オブジェクトに近づくように、前記攻撃オブジェクト、前記非攻撃オブジェクトおよび前記第２オブジェクトのうちの少なくとも１つについての位置、または、前記第２オブジェクトの前記所定方向、を変更する補正を行う補正部と、して機能させることを特徴とするゲームプログラム。
【請求項２】
前記補正部は、前記攻撃オブジェクトと前記非攻撃オブジェクトとが前記第２オブジェクトを挟んだ位置となるように、前記補正を行う、請求項１に記載のゲームプログラム。
【請求項３】
前記補正部は、同一直線上において、前記攻撃オブジェクトと前記非攻撃オブジェクトとが前記第２オブジェクトを挟んだ位置となるように、前記補正行う、請求項２に記載のゲームプログラム。
【請求項４】
前記補正部は、前記攻撃オブジェクト又は前記非攻撃オブジェクトの位置を、前記第２オブジェクトを中心として回転移動させる前記補正を行う、請求項１〜３のいずれかに記載のゲームプログラム。
【請求項５】
前記補正部は、前記攻撃オブジェクトの位置を、前記第２オブジェクトとの間の距離がこの攻撃に適した所定の間合いになるように変更する間合い補正を更に行う、請求項４に記載のゲームプログラム。
【請求項６】
前記補正部は、所定の補正条件を満たす際に前記補正を行う、請求項１〜５のいずれかに記載のゲームプログラム。
【請求項７】
前記非攻撃オブジェクトと、前記攻撃オブジェクト又は前記第２オブジェクトとの距離が所定値以下であることが、前記所定の補正条件に含まれている、請求項６に記載のゲームプログラム。
【請求項８】
前記攻撃オブジェクト、前記非攻撃オブジェクト及び前記第２オブジェクトの位置関係が、設定された条件に合致することが、前記所定の補正条件に含まれている、請求項６又は７に記載のゲームプログラム。
【請求項９】
前記非攻撃オブジェクト及び前記第２オブジェクトを結ぶ線と、前記攻撃オブジェクト及び前記第２オブジェクトを結ぶ線とがなす角度が、９０度以上２７０度以下の所定の範囲内の角度となるように、前記攻撃オブジェクト、前記非攻撃オブジェクト及び前記第２のオブジェクトが位置していることが、前記所定の補正条件に含まれている、請求項８に記載のゲームプログラム。
【請求項１０】
前記補正部は、前記攻撃オブジェクトが前記第２オブジェクトを攻撃する攻撃行動中の期間であって、この攻撃行動の開始から所定時間が経過するまでに、前記位置を補正する、請求項１〜９のいずれかに記載のゲームプログラム。
【請求項１１】
前記所定時間は、前記攻撃オブジェクトの攻撃が前記第２オブジェクトに当たるまでの時間である、請求項１０に記載のゲームプログラム。
【請求項１２】
前記移動動作は、前記攻撃オブジェクトの攻撃によってダメージを受けたことを表すダメージ動作である、請求項１〜１１のいずれかに記載のゲームプログラム。
【請求項１３】
前記オブジェクト制御部は、前記攻撃オブジェクトが前記第２オブジェクトを攻撃する際、この攻撃を行わなかった前記第１オブジェクトのうち、前記補正による変更量が最も少なくなる第１オブジェクトを前記非攻撃オブジェクトとする、請求項１〜１２のいずれかに記載のゲームプログラム。
【請求項１４】
前記オブジェクト制御部は、
前記複数の第１オブジェクトのうち、第１条件を満たす第１オブジェクトを前記攻撃オブジェクトとして、前記第２オブジェクトに対して１回目の連携攻撃のアクションを行わせ、
ｍ回目（ｍ≧１）の前記連携攻撃のアクションを行わせた前記第１オブジェクトを除く前記第１のオブジェクトのうち、第２条件を満たす第１オブジェクトを前記攻撃オブジェクトとして、ｍ回目の前記連携攻撃を受けた前記第２オブジェクトに対してｍ＋１回目の連携攻撃のアクションを行わせ、
前記補正部は、前記連携攻撃をする際に前記補正を行う、
請求項１〜１３のいずれかに記載するゲームプログラム。
【請求項１５】
請求項１から請求項１４のいずれかに記載のゲームプログラムを記憶したプログラム記憶部と、
前記プログラム記憶部に記憶されたゲームプログラムを実行するコンピュータと、
を備えたゲーム装置。
【手続補正２】
【補正対象書類名】明細書
【補正対象項目名】発明の名称
【補正方法】変更
【補正の内容】
【発明の名称】ゲームプログラム、ゲーム装置
【手続補正３】
【補正対象書類名】明細書
【補正対象項目名】０００１
【補正方法】変更
【補正の内容】
【０００１】
本発明は、ゲームプログラム、ゲーム装置に関する。
【手続補正４】
【補正対象書類名】明細書
【補正対象項目名】０００８
【補正方法】変更
【補正の内容】
【０００８】
本発明の目的は、上記問題を解消し、プレイヤオブジェクト、味方オブジェクト等の複数の第１オブジェクトの共同攻撃の際に、いずれかの第1オブジェクト（攻撃オブジェクト）の攻撃によって、敵オブジェクト等の第２オブジェクトが、他の第1オブジェクト（非攻撃オブジェクト）の存在しない場所に移動することを効果的に抑制し得る、ゲームプログラム、及びゲーム装置を提供することにある。
【手続補正５】
【補正対象書類名】明細書
【補正対象項目名】００１８
【補正方法】変更
【補正の内容】
【００１８】
更に、上記目的を達成するため、上記本発明におけるゲーム装置は、上記本発明におけるゲームプログラムを記憶したプログラム記憶部と、前記プログラム記憶部に記憶されたゲームプログラムを実行するコンピュータと、を備えたことを特徴とする。
【手続補正６】
【補正対象書類名】明細書
【補正対象項目名】００１９
【補正方法】変更
【補正の内容】
【００１９】
以上のように、本発明におけるゲームプログラム、及びゲーム装置によれば、プレイヤオブジェクト、味方オブジェクト等の複数の第１オブジェクトの共同攻撃の際に、いずれかの第1オブジェクト（攻撃オブジェクト）の攻撃によって、敵オブジェクト等の第２オブジェクトが、他の第1オブジェクト（非攻撃オブジェクト）の存在しない場所に移動することを効果的に抑制し得る。この結果、プレイヤに与えられる味方オブジェクトとの連帯感及び協力感の向上が図られる。
【手続補正書】
【提出日】平成24年2月1日(2012.2.1)
【手続補正１】
【補正対象書類名】特許請求の範囲
【補正対象項目名】全文
【補正方法】変更
【補正の内容】
【特許請求の範囲】
【請求項１】
依存性薬物の依存者が通常使用する前記依存性薬物の形態に類似した外観を有し、前記依存性薬物の有効成分を含んでいない偽依存性薬物からなる、依存性薬物渇望抑制器具。
【請求項２】
前記依存性薬物は、抗精神病薬、抗不安薬、抗躁薬、中枢神経刺激薬、睡眠導入剤、鎮静催眠薬、抗ヒスタミン薬、総合感冒薬、鎮咳剤、麻酔薬、鎮痛剤、幻覚剤、覚せい剤、煙草、禁煙補助剤、ホルモン剤、アルコール飲料、有機溶剤または有機燃料である、請求項１に記載の依存性薬物渇望抑制器具。
【請求項３】
前記偽依存性薬物は、生理食塩水、ブドウ糖液、蒸留水、ブドウ糖、ショ糖、乳糖、デンプン、デキストリンまたは白糖を含んでなる、請求項１または２に記載の依存性薬物渇望抑制器具。
【請求項４】
前記偽依存性薬物は、前記依存性薬物の製剤に類似した外観を有する偽製剤からなる、請求項１〜３の何れか１項に記載の依存性薬物渇望抑制器具。
【請求項５】
前記偽製剤は、エアゾール剤、内服液剤、エキス剤、エリキシル剤、カプセル剤、顆粒剤、丸剤、眼軟膏剤、懸濁剤、乳剤、経皮吸収型製剤、坐剤、散剤、酒精剤、錠剤、シロップ剤、浸剤、煎剤、注射剤、貼布剤、チンキ剤、点眼剤、トローチ剤、軟膏剤、パップ剤、芳香水剤、リニメント剤、リモナーデ剤、流エキス剤、ローション剤、散布剤、パスタ剤、含嗽剤、罨法剤、塗布剤、洗浄剤、浣腸剤、浴剤、茶剤または舐剤である、請求項４に記載の依存性薬物渇望抑制器具。
【請求項６】
前記偽依存性薬物が偽物であることを示す表示が前記偽製剤の表面に付されていることを特徴とする、請求項４または５に記載の依存性薬物渇望抑制器具。
【請求項７】
前記偽依存性薬物は、前記依存性薬物の容器に類似した外観および構造を有する偽容器に封入されてなる、請求項１〜６の何れか１項に記載の依存性薬物渇望抑制器具。
【請求項８】
前記偽容器は、アンプル、バイアル、ボトル、バッグ、シリンジ、シート、スティック、チューブ、コンテナ、袋または薬包紙である、請求項７に記載の依存性薬物渇望抑制器具。
【請求項９】
前記偽容器は、ガラス製、硬質プラスチック製、軟質プラスチック製、金属製もしくは紙またはこれらの組み合わせからなる、請求項７または８に記載の依存性薬物渇望抑制器具。
【請求項１０】
前記偽依存性薬物が偽物であることを示す表示が前記偽容器の外面に付されていることを特徴とする、請求項７〜９の何れか１項に記載の依存性薬物渇望抑制器具。
【請求項１１】
前記容器に施された包装に類似した外観および構造を有する偽包装が前記偽容器に施されたことを特徴とする、請求項７〜１０の何れか１項に記載の依存性薬物渇望抑制器具。
【請求項１２】
前記偽包装は、紙またはプラスチック製の袋、箱またはシートである、請求項１１に記載の依存性薬物渇望抑制器具。
【請求項１３】
前記偽依存性薬物が偽物であることを示す表示が前記偽包装の外面に付されていることを特徴とする、請求項１１または１２に記載の依存性薬物渇望抑制器具。
【請求項１４】
依存性薬物の依存者が通常使用する前記依存性薬物の形態に類似した外観を有し、前記依存性薬物の有効成分を含んでいない偽依存性薬物からなる、依存性薬物渇望抑制器具の使用方法であって、
前記偽依存性薬物を所定の方法で摂取する第１の手順を含む、依存性薬物渇望抑制器具の使用方法。
【請求項１５】
前記偽依存性薬物が前記依存性薬物の容器に類似した外観および構造を有する偽容器に封入されている場合に、前記偽容器を開封する第２の手順をさらに含む、請求項１４に記載の依存性薬物渇望抑制器具の使用方法。
【請求項１６】
前記偽容器に前記容器の包装に類似した外観および構造を有する偽包装が施された場合に、前記偽包装を解く第３の手順をさらに含む、請求項１５に記載の依存性薬物渇望抑制器具の使用方法。
【請求項１７】
前記第１の手順は、前記偽依存性薬物が注射剤である場合に、前記第２の手順により開封された偽容器に注射器の注射針を挿入して前記偽容器中の前記偽依存性薬物を前記注射器で吸い上げる第４の手順を含む、請求項１５または１６に記載の依存性薬物渇望抑制器具の使用方法。
【請求項１８】
前記第１の手順は、前記第４の手順により前記偽依存性薬物を吸い上げた前記注射器の前記注射針を自己の身体に穿刺して前記偽依存性薬物を注射する第５の手順をさらに含む、請求項１７に記載の依存性薬物渇望抑制器具の使用方法。
【請求項１９】
前記第１〜５の手順の一部または全部を、一定期間または定常的に繰り返して行うことを特徴とする、請求項１４〜１８の何れか１項に記載の依存性薬物渇望抑制器具の使用方法。
【手続補正書】
【提出日】平成24年3月9日(2012.3.9)
【手続補正１】
【補正対象書類名】特許請求の範囲
【補正対象項目名】全文
【補正方法】変更
【補正の内容】
【特許請求の範囲】
【請求項１】
周方向に周回すると共に、該周方向に複数種の絵柄が付された複数の周回体と、
前記各周回体について各絵柄のうち一部の絵柄を視認可能とする表示窓と、
前記各周回体の周回を開始させるべく操作される始動操作手段と、
前記始動操作手段の操作に基づいて役の抽選を行う抽選手段と、
前記周回体毎に設けられ、該各周回体を周回させる駆動手段と、
前記始動操作手段の操作に基づいて前記各周回体の周回を開始させるよう前記各駆動手段を開始駆動制御する開始駆動制御手段と、
前記各周回体の周回を個別に停止させるべく操作される複数の停止操作手段と、
前記各停止操作手段の操作に基づいて対応する周回体の周回を停止させるように、且つ、前記役の抽選に当選すると共に前記停止操作手段が所定のタイミングで操作された場合には、当選している役と対応する当選絵柄が前記表示窓から視認できる有効位置に停止するように前記各駆動手段を停止駆動制御する停止駆動制御手段と、
前記有効位置に前記当選絵柄が所定の組合せを形成して停止した場合、入賞成立として特典を付与する特典付与手段と、
前記各周回体を周方向にそれぞれ区画した複数の区画領域と、各区画領域に付された絵柄との対応関係を記憶する対応関係記憶手段と、
前記停止操作手段が操作されて停止指令が発生した場合に、対応する周回体の各区画領域のうち、予め定めた規定位置に到達している到達区画領域を把握する到達区画領域把握手段と、
前記停止指令が発生した場合、前記到達区画領域把握手段の把握結果に基づいて、対応する周回体の各区画領域のうち、前記規定位置に停止させる停止区画領域を決定する停止区画領域決定手段と、
前記停止区画領域が決定されていない周回体を停止させる場合に用いる停止情報を、前記停止区画領域決定手段の決定結果に基づいて導出する停止情報導出手段と、
前記停止情報を記憶する停止情報記憶手段と
を備え、
前記停止駆動制御手段は、前記停止区画領域決定手段の決定した停止区画領域が前記規定位置に停止するよう対応する駆動手段を停止駆動制御し、
前記停止情報導出手段は、前記停止区画領域決定手段の決定結果に基づいて、前記停止指令が発生してから次の停止指令が発生するまでに、前記停止区画領域が決定されていない少なくとも一の周回体について全区画領域の停止情報を区画領域毎に導出し、
前記停止区画領域決定手段は、
前記停止情報導出手段が前記停止情報を導出した後に停止指令が発生した場合、前記到達区画領域把握手段の把握結果に基づいて、予め定めた規定期間に前記規定位置に到達させることが可能な到達可能区画領域を把握する到達可能区画領域把握手段と、
前記停止情報記憶手段に記憶された前記到達区画領域及び前記到達可能区画領域の全停止情報を比較判定する比較判定手段と、
前記比較判定手段の判定結果に基づいて、前記停止区画領域を導出する停止区画領域導出手段と
を備え、
さらに、
優先度を導出するための優先度準備情報を区画領域毎に定めた特定情報群を複数記憶する優先度準備情報群と、
前記役の抽選結果に基づいて、前記特定情報群を選択する特定情報群選択手段と、
前記特定情報群選択手段の選択結果を記憶する選択結果記憶手段と、
前記停止区画領域決定手段の決定結果に基づいて、前記選択結果記憶手段に記憶されている情報を変更する変更手段と
を備え、
前記停止情報導出手段は、前記選択結果記憶手段に記憶されている情報に基づいて前記区画領域毎に優先度を導出する優先度導出手段を備え、前記停止情報記憶手段には、前記優先度導出手段の導出結果を示す優先度情報を記憶する優先度記憶領域を設けたことを特徴とする遊技機。
【請求項２】
前記変更手段は、第１停止指令が発生するとともに前記停止区画領域決定手段が前記停止区画領域を決定したことに基づいて、前記選択結果記憶手段に記憶されている情報を変更することを特徴とする請求項１に記載の遊技機。
【請求項３】
前記変更手段は、前記各周回体のうち少なくとも２つの周回体に対して前記停止区画領域が決定されておらず、前記各周回体のうち少なくとも１つの周回体に対して前記停止区画領域が決定されていることに基づいて、前記選択結果記憶手段に記憶されている情報を変更することを特徴とする請求項１又は請求項２に記載の遊技機。
【請求項４】
前記各周回体のうち規定周回体には、前記有効位置に停止すれば他の周回体の停止結果に関わらず全周回体の停止後に入賞成立となる単独入賞絵柄を配置し、前記変更手段は、前記規定周回体を含む複数の周回体が周回していることに基づいて、前記選択結果記憶手段に記憶されている情報を変更することを特徴とする請求項１乃至請求項３のいずれかに記載の遊技機。
【請求項５】
前記特典付与手段は、前記各周回体のうち規定周回体の第１規定絵柄と、前記規定周回体以外の周回体の所定絵柄と、が前記有効位置に停止した場合に第１特典を付与するとともに、前記規定周回体の第２規定絵柄と、前記規定周回体以外の周回体の前記所定絵柄と、が前記有効位置に停止した場合に第２特典を付与し、前記規定周回体には、前記第１規定絵柄と前記第２規定絵柄とのうち少なくとも一方を、前記停止操作手段の操作タイミングに関わらず前記有効位置に到達させることができるように配置し、前記変更手段は、前記規定周回体を含む複数の周回体が周回していることに基づいて、前記選択結果記憶手段に記憶されている情報を変更することを特徴とする請求項１乃至請求項４のいずれかに記載の遊技機。
【手続補正書】
【提出日】平成24年11月2日(2012.11.2)
【手続補正１】
【補正対象書類名】特許請求の範囲
【補正対象項目名】全文
【補正方法】変更
【補正の内容】
【特許請求の範囲】
【請求項１】
患者の体内へと通る器具と共に使用される偏向可能な誘導機器であって、
偏向可能な部分、及び前記器具が中を延びることができる内腔を有するシャフトと、
長手方向の軸を画定する細長い制御ハンドルと、
前記偏向可能な部分と前記制御ハンドルとの間を延びる引張部材と、を含み、
前記制御ハンドルは、偏向用部材及び回転可能な部材を含む偏向用組立品を有し、前記偏向用部材は、前記制御ハンドルの前記長手方向の軸に対し概ね直交する軸の周りを回転可能であり、前記回転可能な部材は前記偏向用部材に回転連結し、前記回転可能な部材は前記制御ハンドル内に据え付けられた前記引張部材の近位部分と係合する滑車を有し、
前記偏向用部材の一つの方向への操作が、前記シャフトの前記偏向可能な部分を前記一つの方向へ偏向させるために、前記引張部材を引き出す、偏向可能な誘導機器。
【請求項２】
前記引張部材の遠位部分が引きワイアであり、前記引張部材の前記近位部分が引張繊維である、請求項１に記載の偏向可能な誘導機器。
【請求項３】
前記偏向用組立品が、前記偏向用部材の張力を調節する張力ノブを含む、請求項１に記載の偏向可能な誘導機器。
【請求項４】
前記シャフトが、より柔軟な遠位部位を含む、請求項１に記載の偏向可能な誘導機器。
【請求項５】
前記シャフトが、円錐形の断面を有する遠位先端を含む、請求項１に記載の偏向可能な誘導機器。
【請求項６】
前記シャフトが、前記遠位引張部材が中を延びる、少なくとも一つの軸外導管を含む、請求項１に記載の偏向可能な誘導機器。
【請求項７】
前記回転可能な部材が、別の引張部材の近位部分が巻き付けられる第二の滑車を含み、前記偏向用部材の反対方向への操作が、前記シャフトの前記偏向可能な部分を前記反対方向へと偏向させるために前記引張部材を引き出す、請求項１に記載の偏向可能な誘導機器。
【請求項８】
前記シャフトが、前記遠位引張部材の遠位部分を固定させるために前記遠位引張部材の前記遠位部分が中を延びる半径方向の通路を有する、リングを含む、請求項１に記載の偏向可能な誘導機器。
【請求項９】
前記通路が、円周方向の通路により接続される２つの半径方向の通路を含む、請求項８に記載の偏向可能な誘導機器。
【請求項１０】
患者の体内へと通る器具と共に使用される偏向可能な誘導機器であって、
偏向可能な部分、及び前記器具が中を延びることができる内腔を有するシャフトと、
長手方向の軸を画定する細長い制御ハンドルと、
前記偏向可能な部分と前記制御ハンドルとの間を延びる引張部材と、を含み、
前記制御ハンドルは、偏向用部材及び回転可能な部材を含む偏向用組立品を有し、前記偏向用部材は、前記制御ハンドルの前記長手方向の軸に対し概ね直交する軸の周りを回転可能であり、前記回転可能な部材は前記偏向用部材に回転連結し、前記回転可能な部材は第一及び第二の滑車を有し、それぞれの滑車は、前記制御ハンドル内に据え付けられた近位引張部材部分と係合し、
前記偏向用部材の一つの方向への回転は、前記シャフトの前記偏向可能な部分を前記一つの方向に偏向させるために前記第一の滑車がそのそれぞれの近位引張部材部分を引き出すように、前記回転可能な部材を回転させ、前記偏向のもう一方の方向への回転は、前記シャフトの前記偏向可能な部分を別の方向に偏向させるために前記第二の滑車がそのそれぞれの近位引張部材部分を引き出すように、前記回転可能な部材を回転させる、偏向可能な誘導機器。
【請求項１１】
前記制御ハンドルが、前記偏向用部材が回転し得る容易さを調節する際の操作者の操作に適合した張力ノブを更に含む、請求項１０に記載の偏向可能な誘導機器。
【請求項１２】
前記シャフトが前記回転可能な部材を通って延びる、請求項１０に記載の偏向可能な誘導機器。
【請求項１３】
前記引張部材の遠位末端が互いに結合されている、請求項１０に記載の偏向可能な誘導機器。
【請求項１４】
各引張部材が、その遠位部分及び近位部分を前記制御ハンドル内で連結させる連結具を含む、請求項１０に記載の偏向可能な誘導機器。
【請求項１５】
前記遠位部分が引きワイアを含み、近位部分が繊維を含む、請求項１４に記載の偏向可能な誘導機器。
【請求項１６】
前記引きワイアが前記シャフト内の軸外導管内を延び、前記繊維が前記シャフトの外側を延びる、請求項１５に記載の偏向可能な誘導機器。
【請求項１７】
前記回転可能な部材は、中を通って延びる前記シャフトと共に前記回転可能な部材が回転することを可能にする切り欠きを有する、請求項１２に記載の偏向可能な誘導機器。
【請求項１８】
前記シャフトが、前記偏向可能な部分より柔軟である遠位先端部分を含む、請求項１に記載の偏向可能な誘導機器。
【請求項１９】
前記シャフトが、前記シャフトの中に形成され、前記引張部材が中を延びる、軸外導管を有する、請求項１に記載の偏向可能な誘導機器。
【請求項２０】
前記シャフトが、内張り及び外部層を有し、前記軸外導管が前記外部層に形成される、請求項１９に記載の偏向可能な誘導機器。
【手続補正書】
【提出日】平成23年12月21日(2011.12.21)
【手続補正１】
【補正対象書類名】明細書
【補正対象項目名】００１１
【補正方法】変更
【補正の内容】
【００１１】
図１５（Ａ）は、シートがほとんど捌かれていない場合の図である。図１５（Ａ）に示す現象は、最上位のシートＳａと次のシートＳｂの密着力が、吸着搬送ベルト９２１がシートを吸着する吸着力を上まわっているときに発生する。図１５（Ａ）に示す現象が発生すると、最上位のシートＳａは、吸着搬送ベルト９２１に吸着されないで、搬送されないことがある。或いは、最上位のシートＳａと次のシートＳｂとは、吸着搬送ベルト９２１に重なって吸着されて、重送され、シート詰まり（ジャム）の原因となる。
【手続補正２】
【補正対象書類名】明細書
【補正対象項目名】００１６
【補正方法】変更
【補正の内容】
【００１６】
本発明のシート給送装置は、シートが積載されるシート積載手段と、前記シート積載手段に積載されたシートの内、上部のシートの端部にエアを吹き付けて上部のシートを捌く捌きノズルと、前記捌きノズルにエアを供給するエア供給部と、分離されたシートの内、最上位のシートを吸着して搬送する吸着搬送手段と、を備え、さらに、前記捌きノズルによって捌かれたシートの枚数を検知する浮上枚数分布検知手段と、前記浮上枚数分布検知手段の検知に基づいて、前記エア供給部を制御して前記捌きノズルから吐出されるエアの吐出量を調節する制御手段と、を備え、前記制御手段は、前記浮上枚数分布検知手段によって検知されたシートの枚数が設定枚数を超えているとき、前記捌きノズルから吐出されるエアの吐出量が多くなるように前記エア供給部を制御する、ことを特徴としている。
【手続補正３】
【補正対象書類名】明細書
【補正対象項目名】００２６
【補正方法】変更
【補正の内容】
【００２６】
図１乃至図５において、シート給送装置６０は、主に、次の構成要素を備えている。すなわち、シートが積載されてトレイ昇降モータＭ１２（図６）によって昇降可能なシート積載手段としてのトレイ１２。トレイ１２に積載されたシートの内、上部のシートの端部にエアを吹き付けて上部のシートを捌いて分離する捌きノズル３３ａ，３３ｂ，３３ｃ。捌きノズル３３ａ，３３ｂ，３３ｃにエアを供給するエア供給部３８。捌きノズル３３ａ，３３ｂ，３３ｃによって捌かれたシートの内、最上位のシートを吸着して搬送する吸着搬送手段としての吸着搬送部１７。捌きノズル３３ａ，３３ｂ，３３ｃによって捌かれたシートの浮上枚数及び分布を検知可能な浮上枚数分布検知手段としての浮上枚数分布検知部４５（図６）。シート給送装置６０を制御可能な制御手段としての給送制御部１８（図６）。シート給送装置６０は、トレイ１２に積載された最上位のシートＳａを検知する検知手段としての紙面検知部４９も備えている。
【手続補正４】
【補正対象書類名】明細書
【補正対象項目名】００６２
【補正方法】変更
【補正の内容】
【００６２】
さらに、図１１（Ｂ）のエア供給部５６のように、１つの捌きファンモータＭ５７で捌きノズル３３と分離ノズル３４にエアを供給してもよい。捌きノズル３３からのエアの吐出量は、図１１（Ａ）と同様に、捌きファン５７を定速回転させ、捌きダクト３５ａ,３５ｂ,３５ｃに設けた流量調節シャッタ３９ａ,３９ｂ,３９ｃの開閉角度を各々調節して行われる。流量調節シャッタ３９ａ,３９ｂ,３９ｃの開閉角度は、給送制御部１８によって制御されるシャッタモータＭ３９ａ，Ｍ３９ｂ，Ｍ３９ｃによって行われる。したがって、この場合のエア供給部５６は、定速回転する捌きファンモータＭ５７及び捌きファン５７と、流量調節シャッタ３９ａ,３９ｂ,３９ｃと、シャッタモータＭ３９ａ，Ｍ３９ｂ，Ｍ３９ｃとで構成されている。なお、この場合、シャッタモータＭ３９ａ，Ｍ３９ｂ，Ｍ３９ｃのみならず、捌きファンモータＭ５７及び捌きファン５７の回転数も調節して、捌きノズル３３からのエアの吐出量を調節してもよい。
【手続補正書】
【提出日】平成24年5月15日(2012.5.15)
【手続補正１】
【補正対象書類名】特許請求の範囲
【補正対象項目名】全文
【補正方法】変更
【補正の内容】
【特許請求の範囲】
【請求項１】
記録媒体の記録面を反転させることにより前記記録媒体の両面に画像を形成可能な画像形成装置であって、
装置本体と、
前記装置本体の上部に配置され、前記記録媒体の記録面に画像を形成する画像形成手段と、
前記画像形成手段の下方に配置され、前記記録媒体の記録面を前記画像形成手段に対向させて搬送する搬送手段と、
前記装置本体の下部に配置され、前記搬送手段に給紙される前記記録媒体が積載される給紙手段と、
前記搬送手段と前記給紙手段との間に配置され、前記記録媒体の記録面を反転させる反転手段と、を備え、
前記反転手段は、前記記録媒体を反転させる搬送経路を有する反転搬送部と、前記装置本体の前面側に設けられ、前記反転搬送部を覆う前面カバー部と、を有し、
前記前面カバー部が前記装置本体の前面側から前記反転手段に対して着脱可能であり、
前記給紙手段から前記搬送手段に前記記録媒体を給紙する経路は前記反転手段よりも前記装置本体奥側に形成されていることを特徴とする画像形成装置。
【請求項２】
前記反転手段は、前記装置本体の前面側から前記装置本体に対して着脱可能であることを特徴する請求項１に記載の画像形成装置。
【請求項３】
少なくとも前記装置本体の前面部および前記前面カバー部のいずれか一方に設けられ、前記画像形成手段により画像が形成された前記記録媒体が排紙される排紙手段をさらに備え、
前記排紙手段が、前記装置本体および前記前面カバー部に対して着脱可能であることを特徴とする請求項１または２に記載の画像形成装置。
【請求項４】
前記給紙手段は、前記装置本体の前面から前記装置本体に対して着脱可能であることを特徴とする請求項１ないし３のいずれか１項に記載の画像形成装置。
【請求項５】
前記画像形成手段が、複数のノズルが形成された記録ヘッドを有し、前記記録ヘッドの前記ノズルからインク滴を吐出することにより、前記記録媒体の記録面に画像を形成するインクジェット方式からなることを特徴とする請求項１ないし４のいずれか１項に記載の画像形成装置。
【請求項６】
請求項１ないし５に記載の画像形成装置がプリンタ装置からなることを特徴とする画像形成装置。
【手続補正２】
【補正対象書類名】明細書
【補正対象項目名】００１２
【補正方法】変更
【補正の内容】
【００１２】
本発明に係る画像形成装置は、上記目的を達成するため、記録媒体の記録面を反転させることにより前記記録媒体の両面に画像を形成可能な画像形成装置であって、装置本体と、前記装置本体の上部に配置され、前記記録媒体の記録面に画像を形成する画像形成手段と、前記画像形成手段の下方に配置され、前記記録媒体の記録面を前記画像形成手段に対向させて搬送する搬送手段と、前記装置本体の下部に配置され、前記搬送手段に給紙される前記記録媒体が積載される給紙手段と、前記搬送手段と前記給紙手段との間に配置され、前記記録媒体の記録面を反転させる反転手段と、を備え、前記反転手段は、前記記録媒体を反転させる搬送経路を有する反転搬送部と、前記装置本体の前面側に設けられ、前記反転搬送部を覆う前面カバー部と、を有し、前記前面カバー部が前記装置本体の前面側から前記反転手段に対して着脱可能であり、前記給紙手段から前記搬送手段に前記記録媒体を給紙する経路は前記反転手段よりも前記装置本体奥側に形成されている構成を有する。